(57)【要約】【課題】上ケースと下ケースが突合せ面において超音波溶着されてなるカートリッジケース内に磁気テープを巻装した単一のリールが回動可能に収容された磁気テープカートリッジにおいて、突合せ面からの溶着代のはみ出しを防止する【解決手段】突合せ面に施される複数の溶着ＥＤ１５が細長い形状を有し、これら溶着ＥＤ１５を上下ケースの突合せ面１３の側壁に沿った方向に直角の向きに配設する。【選択図】　　　　　図２
2004086947.tif 000002
【特許請求の範囲】
【請求項１】
テープ引出し用開口部を側壁に備え、上ケースと下ケースが突合せ面において超音波溶着されてなるカートリッジケース内に磁気テープを巻装した単一のリールが回動可能に収容された磁気テープカートリッジにおいて、
前記突合せ面に施される複数の溶着ＥＤが細長い形状を有し、該溶着ＥＤが前記上下ケースの突合せ面の側壁に沿った方向に直角の向きに配されていることを特徴とする磁気テープカートリッジ。
【請求項２】
前記側壁の末端において溶着ＥＤが、前記上下ケースの突合せ面の側壁に沿った方向に末端至近位置まで延びるように施されていることを特徴とする請求項１記載の磁気テープカートリッジ。
【請求項３】
テープ引出し用開口部を側壁に備え、上ケースと下ケースが突合せ面において超音波溶着されてなるカートリッジケース内に磁気テープを巻装した単一のリールが回動可能に収容された磁気テープカートリッジにおいて、
前記突合せ面上の、該突合せ面に施される複数の溶着ＥＤの外側に、該溶着ＥＤから発生する溶着代をトラップする溝が設けられていることを特徴とする磁気テープカートリッジ。
【請求項４】
前記突合せ面上の前記溶着代トラップ溝が、前記溶着ＥＤを囲むように施されていることを特徴とする請求項３記載の磁気テープカートリッジ。
【請求項５】
テープ引出し用開口部を側壁に備え、上ケースと下ケースが突合せ面において超音波溶着されてなるカートリッジケース内に磁気テープを巻装した単一のリールが回動可能に収容された磁気テープカートリッジにおいて、
前記突合せ面に施される複数の溶着ＥＤが、前記突合せ面の厚み方向の中心よりケース内方側に偏った位置に配置され、かつ前記溶着ＥＤよりもケース内方側に、該溶着ＥＤから発生する溶着代の流出を阻止する壁が設けられていることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関するものである。
【０００２】
【従来の技術】
従来、コンピュータ等の外部記憶装置に用いられる記録媒体として使用される磁気テープカートリッジとして、磁気テープを巻装した単一のリールがカートリッジケース内に回転可能に収容されたタイプのものが知られている（例えば特許文献１、２、３参照）。
【０００３】
図４は、この種の磁気テープカートリッジ１の全体を示す斜視図で、スライドドア１１を開いた状態を示している。上ケース２と下ケース３とが一体に固定されたカートリッジケース４の側壁には、テープ引出し用開口部１０が上下ケース２、３に跨がって、かつコーナー部に近接して形成されており、このテープ引出し用開口部１０には、開口部１０を開閉するスライドドア１１が摺動可能に設けられている。磁気テープ６はコンピュータ等のデータ保存用として用いられ、磁気テープ６の先端にはテープ引出し用のリーダピン５が固着され、この磁気テープカートリッジ１が記録再生装置に装着されたとき、記録再生装置側のピン保持部材がリーダピン５に係合して磁気テープ６をカートリッジケース４から引き出し、記録再生装置へのローディングを行ない、アンローディング時には、磁気テープ６がリール７に巻かれるとともに、ピン保持部材がリーダピン５をカートリッジケース内に戻すように構成されている。
【０００４】
上記カートリッジケース４は、合成樹脂製の上ケース２と下ケース３とが例えば複数本のビスにより互いに締結されて一体化され（例えば特許文献２）、あるいは上下ケース２，３がそれらの側壁の突合せ面において超音波溶着により一体化されている（例えば特許文献３）。リーダピン５は、カートリッジケース４に設けられているテープ引出し用開口部１０の近傍において軸線を上下方向として上下ケース間に跨がって着脱自在に保持されているとともに、上記テープ引出し用開口部１０を開閉するスライドドア１１が閉位置に向かってバネ付勢されている。
【０００５】
【特許文献１】特開平１１−３０６７２２号公報
【０００６】
【特許文献２】特開２００１−１４８１７９号公報
【０００７】
【特許文献３】特開２００１−２６６５３３号公報
【０００８】
【発明が解決しようとする課題】
ところで、上記のような構成を有する磁気テープカートリッジ１においては、全体として四角のカートリッジケース４のコーナーの近傍にテープ引出し用開口部１０が形成されており、その開口部１０の内側のリーダピン５が収容されている位置の周囲には、テープ走行路と記録再生装置側のピン保持部材のリーダピン５への進入路とを確保するために空間を確保しなければならないため、上ケース２と下ケース３とを固定するビスを設けることができず、ビスはこの近辺を避けた位置に設けられている（例えば特許文献２）。したがって、カートリッジケース４のテープ引出し用開口部１０の近辺は開口部１０のために側壁がない上、ビスによる固定部がなく、さらにリーダピン５の誘い溝２０が下ケース３の底面に形成されているため、ケースの強度が弱くなっている。
【０００９】
磁気テープカートリッジ１の取扱いにおいては、カートリッジを床に落とすことも考えられ、そのような落下時にテープ引出し用開口部１０が形成されているコーナーが下になると、その強度が弱い部分が床に衝突して、ケース４がそこから割れたり、そこにひびが入ったりして、損傷する可能性が高い。
【００１０】
そこで、上ケースと下ケースの結合強度を向上させるため、上下ケースを溶着することが考えられるが（例えば特許文献３）、上ケースと下ケースの突合せ面を溶着した溶着代が溶着面からはみ出して美感を損ね、また溶着面からはみ出した溶着代が擦れによって剥がれ落ちて作業環境を汚染する可能性がある。さらに、溶着時に溶着代の一部が超音波ホーンに振動でケースの内側に飛び出して、いわゆる溶着ダストとなり、カートリッジの品質を損ねる原因となる。
【００１１】
上述の事情に鑑み、本発明は、溶着代のはみ出しを防止することができる磁気テープカートリッジを提供することを目的とするものである。
【００１２】
【課題を解決するための手段】
上記目的を達成するために、本発明は、テープ引出し用開口部を側壁に備え、上ケースと下ケースが突合せ面において超音波溶着されてなるカートリッジケース内に磁気テープを巻装した単一のリールが回動可能に収容された磁気テープカートリッジにおいて、上記突合せ面に施される複数の溶着ＥＤ（エネルギダイレクタ）が細長い形状を有し、これら溶着ＥＤが上下ケースの突合せ面の側壁に沿った方向に直角の向きに配されていることを特徴とするものである。
【００１３】
その場合、側壁の末端においては、溶着ＥＤが上下ケースの突合せ面の側壁に沿った方向に末端至近位置まで延びるように施されていることが好ましい。
【００１４】
また、本発明は、テープ引出し用開口部を側壁に備え、上ケースと下ケースが、突合せ面において超音波溶着されてなるカートリッジケース内に磁気テープを巻装した単一のリールが回動可能に収容された磁気テープカートリッジにおいて、上記突合せ面上の、この突合せ面に施される複数の溶着ＥＤの外側に、これら溶着ＥＤから発生する溶着代をトラップする溝が設けられていることを特徴とするものである。
【００１５】
その場合、上記突合せ面上の溶着代トラップ用の溝が、溶着ＥＤを囲むよう施されていることが好ましい。
【００１６】
さらに、本発明は、テープ引出し用開口部を側壁に備え、上ケースと下ケースが突合せ面において超音波溶着されてなるカートリッジケース内に磁気テープを巻装した単一のリールが回動可能に収容された磁気テープカートリッジにおいて、上記突合せ面に施される複数の溶着ＥＤが、この突合せ面の厚み方向の中心よりケース内方側に偏った位置に配置され、かつこれら溶着ＥＤよりもケース内方側に、溶着ＥＤから発生する溶着代の流出を阻止する壁が設けられていることを特徴とするものである。
【００１７】
【発明の効果】
溶着ＥＤが細長いリブ状の場合、溶着ＥＤから発生する溶着代は、溶着ＥＤの延長方向と直角方向に延びる性質がある。
【００１８】
本発明によれば、細長い形状の複数の溶着ＥＤが上下ケースの突合せ面の側壁に沿った方向に直角の向きに配されていることにより、溶着代は上下ケースの突合せ面上を側壁に沿った方向に流れるから、溶着代の突合せ面からのはみ出しを防止することができる。その場合に、側壁の末端においては、溶着ＥＤが上下ケースの突合せ面の側壁に沿った方向に末端至近位置まで延びるように施されていることにより、側壁の末端側への溶着代のはみ出しを防止しながら側壁の末端まで溶着することが可能になる。
【００１９】
また、本発明によれば、突合せ面に施される複数の溶着ＥＤの外側に、これら溶着ＥＤから発生する溶着代をトラップする溝が設けられていることにより、溶着ＥＤの延長方向の如何に拘わらず突合せ面からの溶着代のはみ出しを防止することができる。
【００２０】
さらに、本発明によれば、突合せ面に施される複数の溶着ＥＤが、この突合せ面の厚み方向の中心よりケース内方側に偏った位置に配置され、かつこれら溶着ＥＤよりもケース内方側に、溶着ＥＤから発生する溶着代の流出を阻止する壁が設けられていることにより、溶着ＥＤを上下ケースの突合せ面の側壁に沿った方向に延びるように配設しても、突合せ面からの溶着代のはみ出しを防止することがでるとともに、上記壁により、溶着作業時に発生する溶着ダストのケース内への侵入を阻止することができる。さらに、上記壁を、上下ケースの側壁内面に、突合せ面を越えて上下方向に互い違いに延びるように設けることにより、突合せ面の強度を大幅に増大させることができる。
【００２１】
【発明の実施の形態】
以下、図面に示す実施の形態に基づいて本発明を詳細に説明する。
【００２２】
図１は、図４に示した磁気テープカートリッジ１と略同様の構成を有する本発明による磁気テープカートリッジの要部の下ケースのテープ引出し用開口部近傍の構造を示す拡大斜視図である。図１においては、開口部１０を開閉するスライドドア１１が摺動する溝１２と、上ケース２に超音波溶着される側壁上の突合せ面１３と、リーダピン５の誘い溝２０とが示されている。
【００２３】
図２は、本発明の第１の実施の形態を示す拡大斜視図で、下ケース３の側壁上の突合せ面１３上に複数の細長いリブ状の溶着ＥＤ１５が、突合せ面１３の側壁に沿った方向に直角の向きに配されていることを示している。
【００２４】
図３（ａ）は、図２に示す態様で突合せ面１３上に配置された複数の溶着ＥＤ１５を、超音波溶着により発生する溶着代１６とともに模式的に示す平面図である。
【００２５】
溶着ＥＤ１５が細長いリブ状の場合、溶着ＥＤから発生する溶着代１６は、図３（ａ）に示すように溶着ＥＤ１５の延長方向と直角方向に延びる性質があるから、本実施の形態のように、細長い形状の複数の溶着ＥＤ１５が上下ケース２，３の突合せ面１３の側壁に沿った方向に直角の向きに配されていることにより、溶着代１６は突合せ面１３上を側壁に沿った方向に流れるから、突合せ面１３からの溶着代１６のはみ出しを防止することができる。
【００２６】
図３（ｂ）は、図３（ａ）の構成において、側壁の末端において突合せ面１３上に配置される溶着ＥＤ１５が、側壁に沿った方向に末端至近位置まで延びるように施されている構成を示す。これによって、側壁の末端側への溶着代のはみ出しを防止しながら側壁の末端まで溶着することが可能になる。
【００２７】
次の図３（ｃ）は、本発明の第２の実施の形態を示す突合せ面１３の模式的平面図で、突合せ面１３に施される複数の溶着ＥＤ１５の外側に、これら溶着ＥＤ１５から発生する溶着代１６をトラップする溝１７（ハッチングを施してある）が設けられている構成を示す。溶着ＥＤ１５が図示のように側壁に沿った方向に延びている場合、溶着代トラップ用の溝１７は、溶着ＥＤ１５の外側において側壁に沿った方向に設ければよいが、溶着ＥＤ１５を取り囲むように設けることがより好ましい。
【００２８】
本実施の形態によれば、溶着ＥＤ１５の延長方向の如何に拘わらず突合せ面からの溶着代のはみ出しを防止することができる。
【００２９】
図３（ｄ）は、本発明の第３の実施の形態を示す突合せ面１３の模式的平面図で、突合せ面１３に施される複数の溶着ＥＤ１５が、この突合せ面１３の厚み方向の中心よりケース内方側に、すなわち図の下方に偏った位置に設けられ、かつこれら溶着ＥＤよりもケース内方側に、溶着ＥＤから発生する溶着代１６の流出を阻止する壁１８が設けられている構成を示す。
【００３０】
本実施の形態によれば、溶着ＥＤ１５を上下ケースの突合せ面１３の側壁に沿った方向に延びるように配設しても、突合せ面１３からの溶着代１６のはみ出しを防止することがでるとともに、上記壁１８により、溶着作業時に発生する溶着ダストのケース内への侵入を阻止することができる。
【図面の簡単な説明】
【図１】本発明による磁気テープカートリッジの下ケースのテープ引出し用開口部近傍の構造を示す拡大斜視図
【図２】本発明の第１の実施の形態を示す要部の拡大斜視図
【図３】本発明の実施の形態を模式的に示す平面図
【図４】従来の磁気テープカートリッジの斜視図
【符号の説明】
１　　磁気テープカートリッジ
２　　上ケース
３　　下ケース
４　　カートリッジケース
１０　　開口部
１１　　スライドドア
１３　　突合せ面
１５　　溶着ＥＤ
１６　　溶着代
１７　　溶着代トラップ用溝
１８　　壁
【図１】
2004086947.tif 000003
【図２】
2004086947.tif 000004
【図３】
2004086947.tif 000005
【図４】
2004086947.tif 000006